(57)【要約】      （修正有）【課題】電子錠とインターホン装置との連携によって利便性向上を図ることができるインターホンシステム、動作方法及び動作プログラムを提供する。【解決手段】インターホンシステムは、扉Ｄの開錠信号又は施錠信号を受信すると扉を開錠又は施錠する電子錠１００と、室外側に載置される室外機器２１０と、室外機器と接続される親端末２５０と、を有するインターホン装置２００と、を備える。このインターホンシステムにおいて、室外機器は、電子錠に無線通信によって開錠信号又は施錠信号を送信する電子錠制御部を備える。【選択図】図１
2020136705.tif 000002
【特許請求の範囲】
【請求項１】
扉の開錠信号又は施錠信号を受信すると前記扉を開錠又は施錠する電子錠と、
室外側に載置される室外機器と、前記室外機器と接続される親端末と、を有するインターホン装置と、
を備えたインターホンシステムであって、
前記室外機器は、前記電子錠に無線通信によって前記開錠信号又は前記施錠信号を送信する電子錠制御部を備えたことを特徴とするインターホンシステム。
【請求項２】
前記電子錠は、予め設定された時間内に前記室外機器から送られる前記施錠信号又は前記開錠信号を受信しない場合、通常電力モードから省電力モードに移行する処理を行う電力制御部を有することを特徴とする請求項１記載のインターホンシステム。
【請求項３】
前記室外機器は、情報の入力を受け付ける入力部を有し、
予め設定された識別情報を前記入力部で受け付けた場合、前記電子錠制御部から前記電子錠に前記開錠信号又は前記施錠信号を無線通信によって送信可能とすることを特徴とする請求項１又は請求項２に記載のインターホンシステム。
【請求項４】
前記室外機器は、
情報の入力を受け付ける入力部と、
情報の出力を行う出力部と、を有し、
予め設定された識別情報を前記入力部で受け付けた場合、前記出力部から不在であることを示す情報を出力することを特徴とする請求項１又は請求項２に記載のインターホンシステム。
【請求項５】
前記室外機器は、前記出力部から不在であることを示す情報を出力した後、前記入力部で訪問者に対する情報の入力を受け付ける伝言受付部を有することを特徴とする請求項４記載のインターホンシステム。
【請求項６】
前記室外機器は、
情報の入力を受け付ける入力部と、
予め設定されたユーザの識別情報を前記入力部で受け付けた場合、前記ユーザによる操作を受け付けたことを前記親端末に通知するユーザ通知部と、を有することを特徴とする請求項１又は請求項２に記載のインターホンシステム。
【請求項７】
前記室外機器は、
室外の画像を取得する画像取得部と、
室外の動態を検知する動態検知部と、
前記動態検知部で動態を検知した場合、前記画像取得部で画像を取り込み、前記親端末へ送信する画像送信部と、
を有することを特徴とする請求項１乃至請求項６のいずれかに記載のインターホンシステム。
【請求項８】
前記室外機器は、前記親端末とネットワークを介して接続され、
前記親端末は、前記ネットワークを介して前記室外機器の前記電子錠制御部に前記開錠信号又は前記施錠信号を送信させる制御を行う遠隔制御部を有することを特徴とする請求項１乃至請求項７のいずれかに記載のインターホンシステム。
【請求項９】
扉の開錠信号又は施錠信号を受信すると前記扉を開錠又は施錠する電子錠と、
室外側に載置される室外機器と、前記室外機器と接続される親端末と、を有するインターホン装置と、を備えたインターホンシステムの動作方法であって、
前記室外機器から、前記電子錠に無線通信によって前記開錠信号又は前記施錠信号を送信する工程を備えたことを特徴とするインターホンシステムの動作方法。
【請求項１０】
扉の開錠信号又は施錠信号を受信すると前記扉を開錠又は施錠する電子錠と、
室外側に載置される室外機器と、前記室外機器と接続される親端末と、を有するインターホン装置と、を備えたインターホンシステムの動作プログラムであって、
コンピュータに、
前記室外機器から、前記電子錠に無線通信によって前記開錠信号又は前記施錠信号を送信するステップを実行させることを特徴とするインターホンシステムの動作プログラム。
【発明の詳細な説明】
【技術分野】
【０００１】
本発明は、電子錠およびインターホン装置を用いたインターホンシステム、動作方法及び動作プログラムに関する。
【背景技術】
【０００２】
玄関扉など開錠及び施錠を信号によって制御する電子錠は、鍵を用いることなく開錠および施錠を行うことができる便利なシステムである。特許文献１には、住宅管理端末でロックを解錠するためのキー情報をサーバから受信した場合に、キー情報をドアロックユニットに送信し、キー情報によりロックが解錠されるようにドアロックユニットの設定を行う、住宅管理システムが開示される。
【０００３】
特許文献２には、センターサーバと、センターサーバにネットワークを介して接続され、集合住宅の各住戸に設けられて各住戸の住人により操作される住戸端末装置と、来訪者が保有する携帯端末装置と、集合住宅の共用玄関に設けられるロビー端末およびオートロックドアと、を備えた集合住宅用ネットワークシステムが開示される。
【０００４】
特許文献３には、住宅玄関扉の電気錠を制御する機能を有した住宅情報盤が開示される。この住宅情報盤には、所定の機器からキーレス解錠要求を受け付けると住宅情報盤にキーレス解錠モードの実行を所定時間許可するキーレス解錠受信装置が設けられている。住宅情報盤は、キーレス解錠モードを実行している間、ドアホン子器の所定操作を監視して、この操作を検知すると住宅玄関扉の電気錠を自動的に解錠させる。
【先行技術文献】
【特許文献】
【０００５】
【特許文献１】特開２０１８−０５６９９１号公報
【特許文献２】特開２００９−０５２２７９号公報
【特許文献３】特開２０１７−０４８５０７号公報
【発明の概要】
【発明が解決しようとする課題】
【０００６】
多くの住宅やオフィス等の設備のなかで、電子錠やインターホン装置は室内外の間での出入りや、やりとりを行う上で重要な機器である。これらの機器について更なる利便性の向上が期待される。
【０００７】
本発明は、電子錠とインターホン装置との連携によって利便性向上を図ることができるインターホンシステム、動作方法及び動作プログラムを提供することを目的とする。
【課題を解決するための手段】
【０００８】
上記課題を解決するため、本発明の一態様に係るインターホンシステムは、扉の開錠信号又は施錠信号を受信すると扉を開錠又は施錠する電子錠と、室外側に載置される室外機器と、室外機器と接続される親端末と、を有するインターホン装置と、を備える。このインターホンシステムにおいて、室外機器は、電子錠に無線通信によって開錠信号又は施錠信号を送信する電子錠制御部を備えたことを特徴とする。
【０００９】
このような構成によれば、インターホン装置の室外機器に電子錠制御部が設けられているため、室外機器から電子錠へ無線通信によって開錠信号又は施錠信号を送信し、扉の開錠又は施錠をコントロールすることができる。
【００１０】
また、本発明の一態様は、扉の開錠信号又は施錠信号を受信すると扉を開錠又は施錠する電子錠と、室外側に載置される室外機器と、室外機器と接続される親端末と、を有するインターホン装置と、を備えたインターホンシステムの動作方法であって、室外機器から、電子錠に無線通信によって開錠信号又は施錠信号を送信する工程を備えたことを特徴とする。これにより、室外機器から電子錠へ無線通信によって開錠信号又は施錠信号を送信するため、室外機器によって扉の開錠又は施錠をコントロールすることができるようになる。
【００１１】
また、本発明の一態様は、扉の開錠信号又は施錠信号を受信すると扉を開錠又は施錠する電子錠と、室外側に載置される室外機器と、室外機器と接続される親端末と、を有するインターホン装置と、を備えたインターホンシステムの動作プログラムであって、コンピュータに、室外機器から、電子錠に無線通信によって開錠信号又は施錠信号を送信するステップを実行させることを特徴とする。このように、室外機器から電子錠へ無線通信によって開錠信号又は施錠信号を送信するプログラムが実行されることで、室外機器によって扉の開錠又は施錠をコントロールすることができるようになる。
【発明の効果】
【００１２】
本発明によれば、電子錠とインターホン装置との連携によって利便性向上を図ることができるインターホンシステム、動作方法及び動作プログラムを提供することが可能になる。
【図面の簡単な説明】
【００１３】
【図１】本実施形態に係るインターホンシステムの構成図である。
【図２】電子錠の構成図である。
【図３】インターホン装置の室外機器の構成図である。
【図４】インターホン装置の親端末の構成図である。
【図５】室外機器による開錠及び施錠動作を例示するフローチャートである。
【図６】電力モードの切り替え動作を例示するフローチャートである。
【図７】情報受け付け動作を例示するフローチャートである。
【図８】情報表示動作を例示するフローチャートである。
【図９】情報の表示及び受け付け動作を例示するフローチャートである。
【図１０】情報送信動作を例示するフローチャートである。
【図１１】画像通知動作を例示するフローチャートである。
【発明を実施するための形態】
【００１４】
以下、本発明の実施形態を図面に基づいて説明する。なお、以下の説明では、同一の部材には同一の符号を付し、一度説明した部材については適宜その説明を省略する。なお、以下の説明では、「開錠」には、扉を開錠可能な状態とすることも含まれる。また、「施錠」には、扉を施錠可能な状態とすることも含まれる。
【００１５】
（システム構成）
図１は、本実施形態に係るインターホンシステムの構成図である。
本実施形態に係るインターホンシステムは、例えば住宅（戸建て、集合住宅など）、ビル等の居室や会議室、宿泊施設（ホテル、民泊など）、内覧（内見）で使用されるシステムである。住宅やビルの部屋の一時利用の際に使用することもできる。
【００１６】
図１に示すように、本実施形態に係るインターホンシステムは、扉Ｄに取り付けられる電子錠１００と、室外機器２１０および親端末２５０を有するインターホン装置２００と、を備える。ここで、本実施形態において室外とは扉Ｄよりも外側の空間（屋内外を問わない）のことをいい、室内とは扉Ｄよりも内側の空間（屋内外を問わない）のことをいう。
【００１７】
電子錠１００は、扉Ｄの開錠信号又は施錠信号によって扉Ｄを電気的に開錠又は施錠する装置である。電子錠１００は扉Ｄのサムターン部分に被せるように取り付けるタイプでもよいし、独立してデッドボルトを駆動するタイプでもよい。また、電子錠１００は、開錠又は施錠を行わずに、扉を開錠可能な状態又は施錠可能な状態とするだけのものであてもよい。この場合、ユーザは、扉を開錠可能な状態又は施錠可能な状態となった後に、キーをシリンダー錠に差し込んで、扉を開錠又は施錠することとなる。また、電子錠１００は、キーをシリンダー錠に差し込むタイプではなく、カードや生体認証などの識別情報に基づき開錠又は施錠を行うタイプでもよい。
【００１８】
インターホン装置２００は、室外側に載置される室外機器２１０と、室外機器２１０と接続される親端末２５０とを有する。室外機器２１０は、扉Ｄの脇の壁や門扉付近などに設置される。親端末２５０は、例えば部屋の壁などに設置される。なお、親端末２５０はタブレット端末や携帯電話など携帯端末３００を利用してもよいし、パーソナルコンピュータを利用してもよい。親端末２５０はインターネットなどのネットワーク５００に接続される。
【００１９】
本実施形態に係るインターホンシステムでは、インターホン装置２００の室外機器２１０から電子錠１００による開錠又は施錠を制御することができる。すなわち、ユーザＵは、室外機器２１０を操作したり、携帯端末３００やカードＣを利用したりすることで、室外機器２１０から開錠又は施錠を制御する。本実施形態に係るインターホンシステムでは、このようなシステム構成を基本として、インターホン装置２００を用いた各種の機能を実現している。
【００２０】
（電子錠）
図２は、電子錠の構成図である。
電子錠１００は、駆動部１０１、状態検知部１０２、通信部１０３、バッテリ１０４、電力制御部１０５及び制御部１０６を有する。
【００２１】
電子錠１００が扉Ｄのサムターンに被せて取り付けるタイプの場合、駆動部１０１はサムターンを回転させるモータ及び駆動機構を有する。電子錠１００が独立してデッドボルトを駆動するタイプの場合、駆動部１０１はデッドボルトの進退動作を行うモータ及び駆動機構を有する。
【００２２】
状態検知部１０２は、扉Ｄが開錠状態であるか施錠状態であるかを検知する部分である。例えば、サムターンの回転角度を検知するセンサであったり、デッドボルトの進退位置を検知するセンサであったりする。
【００２３】
通信部１０３は、室外機器２１０との間で無線通信を行う部分である。通信部１０３は、室外機器２１０から送られる開錠信号又は施錠信号の受信、および状態検知部１０２で検知した開錠又は施錠の状態を示す信号の送信、その他の信号送受信を行う。通信部１０３による無線通信は、Bluetooth（登録商標）等の近距離無線通信やＬＰＷＡ（Low Power Wide Area Network）を用いることが好ましい。また、無線通信は、４Ｇ、５Ｇ及びＬＴＥなどの携帯通信規格を用いてもよい。
【００２４】
バッテリ１０４は、１次電池又は２次電池であり、電子錠１００の各部へ電力を供給する。電子錠１００には、図示しないバッテリ残量検出部及びバッテリ残量計が設けられており、バッテリ１０４の残量検知を行い、バッテリ残量を知らせることができるようになっている。バッテリ残量の通知は、ランプ表示であってもよいし、通信部１０３から室外機器２１０や親端末２５０へ残量情報を送信してもよい。
【００２５】
電力制御部１０５は、電子錠１００の動作における電力モードを制御する部分である。電力モードには、例えば「通常電力モード」と「省電力モード」とがあり、電力制御部１０５は所定の条件に基づいて電力モードの切り替えを制御する。例えば、予め設定された時間内に室外機器２１０から送られる施錠信号又は開錠信号を通信部１０３で受信しない場合、電力モードを「通常電力モード」から「省電力モード」に移行する処理を行う。一方、「省電力モード」になっている状態で通信部１０３が施錠信号又は開錠信号を受信した場合、電力モードを「省電力モード」から「通常電力モード」に移動する処理を行う。制御部１０６は、電子錠１００の各部を制御する部分である。
【００２６】
（室外機器）
図３は、インターホン装置の室外機器の構成図である。
室外機器２１０は、通信部２１１、呼出部２１２、マイク２１３、スピーカ２１４、接続部２１５、電子錠制御部２１６、入出力部２１７、画像取得部２１８、ＮＦＣ部２１９、電源部２２０及び制御部２２１を有する。
【００２７】
通信部２１１は、電子錠１００との間で無線通信を行う部分である。通信部２１１は、電子錠１００に向けた開錠信号又は施錠信号の送信、および状態検知部１０２で検知した開錠又は施錠の状態を示す信号の受信、その他の信号送受信を行う。通信部２１１による無線通信は、電子錠１００の通信部１０３による無線通信と同じ規格（Bluetooth（登録商標）等の近距離無線通信やＬＰＷＡ）が適用される。また、無線通信は、４Ｇ、５Ｇ及びＬＴＥなどの携帯通信規格を用いてもよい。通信部２１１は、ユーザＵの携帯端末３００との間での無線通信を行ってもよい。
【００２８】
呼出部２１２は、親端末２５０を呼び出すためのボタンである。マイク２１３は音声を取得する部分であり、例えば来客が呼出部２１２のボタンを押した際に起動して来客の音声を取得する。スピーカ２１４は親端末２５０側から送られる音声や呼出部２１２のボタンを押した際の呼出音などを出力する。
【００２９】
接続部２１５は、親端末２５０と接続するためのインタフェースである。接続部２１５は有線又は無線通信によって親端末２５０との間で信号送受信を行う。なお、通信の安定性のメリットからは有線通信がよいし、配線の制約を受けないというメリットからは無線通信がよい。
【００３０】
電子錠制御部２１６は、電子錠１００に開錠信号又は施錠信号を送信する制御を行う部分である。電子錠制御部２１６は、通信部２１１を介して無線通信によって開錠信号又は施錠信号を電子錠１００へ送信する。すなわち、予め登録された識別情報に開錠及び施錠の権限が付与されている場合、電子錠制御部２１６はその識別情報からの指示を受け付けると開錠信号又は施錠信号を電子錠１００に無線通信によって送信する制御を行う。
【００３１】
入出力部２１７は、入力部と出力部とを有する例えばタッチパネルである。入出力部２１７は、キーボタン（入力部）とディスプレイ（出力部）とに分かれていてもよい。入出力部２１７の入力部で予め設定された識別情報を受け付けた場合、電子錠制御部２１６から電子錠１００に開錠信号又は施錠信号を無線通信によって送信することができる。
【００３２】
また、入出力部２１７の入力部で予め設定された識別情報を受け付けた場合、入出力部２１７の出力部から所定の情報を出力してもよい。例えば、予め設定された識別情報を受け付けた際に、家主が不在であることを示す情報を画面に表示したり、親が不在時に子供が帰宅した際、外出先を画面に表示したりすることができる。また、識別情報ごとに、ユーザのアカウントを設定して紐づけを行うようにしてもよい。例えば、子供の識別番号に親の識別情報を紐づけて、親の不在時に子供が帰宅した際、子供の識別番号に紐づいている親の識別番号に関連付けられた連絡先に子供が帰宅したことを通知するようにしてもよいし、予め識別情報が登録された業者（配達業者、室内クリーニング業者、リネン交換業者など）の識別番号に親の識別情報を紐づけて、親の不在時に業者が着た場合、業者の識別番号に紐づいている親の識別番号に関連付けられた連絡先に業者が来たことを通知してもよい。
【００３３】
入出力部２１７には伝言受付部２２８が設けられていてもよい。伝言受付部２２８は、入出力部２１７の出力部から不在であることを示す情報を出力した後、入出力部２１７の入力部で訪問者に対する情報（伝言）の入力を受け付ける部分である。
【００３４】
画像取得部２１８は室外の画像を取得する部分である。画像取得部２１８はカメラを有する。画像取得部２１８には、動態検知部２２５および画像送信部２２６が設けられていてもよい。動態検知部２２５は、室外の動態を検知する部分である。動態検知部２２５としては、赤外線センサや画像取得部２１８で取得した画像データの変化から動態を検知する画像処理部が用いられる。画像送信部２２６は、動態検知部２２５で動態を検知した場合、画像取得部２１８で画像を取り込み、親端末２５０へ送信する処理を行う部分である。
【００３５】
ＮＦＣ部２１９は、ＮＦＣ（Near Field Communication）を行う部分である。ＮＦＣ部２１９は、ユーザＵの携帯端末３００やカードＣの接近を検知して認証を行い、認証結果を各部へ送信する処理を行う。
【００３６】
電源部２２０は、室外機器２１０の各部へ電力を供給する。電源部２２０は、親端末２５０から例えば商用電力の供給を受けて、各部へ電力を供給する。電源部２２０は、１次電池又は２次電池であってもよい。制御部２２１は、室外機器２１０の各部を制御する部分である。
【００３７】
通信部２１１にはユーザ通知部２２７が設けられていてもよい。ユーザ通知部２２７は、入出力部２１７の入力部で予め設定されたユーザの識別情報を受け付けた場合、そのユーザによる操作を受け付けたことを親端末２５０に通知する処理を行う。
【００３８】
室外機器２１０の各部のうち、呼出部２１２、マイク２１３、スピーカ２１４、入出力部２１７、画像取得部２１８およびＮＦＣ部２１９は室外機器２１０の筐体に設けられる（図１参照）。また、室外機器２１０は、親端末２５０を介してインターネット等のネットワーク５００に接続されていてもよいし、直接ネットワーク５００に接続されていてもよい。
【００３９】
（親端末）
図４は、インターホン装置の親端末の構成図である。
親端末２５０は、通信部２５１、応答部２５２、マイク２５３、スピーカ２５４、接続部２５５、ネットワークＩＦ２５６、電子錠制御部２５７、入出力部２５８、電源部２５９及び制御部２６０を有する。
【００４０】
通信部２５１は、室外機器２１０や電子錠１００など外部機器との通信を制御する部分である。通信部２１１は、電子錠１００に向けた開錠信号又は施錠信号の送信、および状態検知部１０２で検知した開錠又は施錠の状態を示す信号の受信を行ってもよい。通信部２５１は、室外機器２１０を介して電子錠１００との間の通信を行ってもよいし、直接通信してもよい。
【００４１】
応答部２５２は、室外機器２１０からの呼び出しに対して応答するボタンである。マイク２５３は音声を取得する部分であり、例えば家主が応答部２５２のボタンを押した際に起動して家主の音声を取得する。スピーカ２５４は室外機器２１０側から送られる音声や室外機器２１０の呼出部２１２を押した際の呼出音などを出力する。
【００４２】
接続部２５５は、室外機器２１０と接続するためのインタフェースである。接続部２５５は有線又は無線通信によって室外機器２１０との間で信号送受信を行う。なお、通信の安定性のメリットからは有線通信がよいし、配線の制約を受けないというメリットからは無線通信がよい。
【００４３】
ネットワークＩＦ２５６は、インターネット等のネットワーク５００と接続するためのインターフェース（ＩＦ）である。インターネットとの接続を行う場合、ネットワークＩＦ２５６は有線ＬＡＮや無線ＬＡＮを介して親端末２５０をインターネットに接続する。
【００４４】
電子錠制御部２５７は、電子錠１００に開錠信号又は施錠信号を送信する制御を行う部分である。電子錠制御部２５７は、通信部２５１を介して電子錠１００に直接開錠信号又は施錠信号を送信してもよいし、室外機器２１０を介して無線通信によって開錠信号又は施錠信号を送信してもよい。
【００４５】
入出力部２５８は、入力部と出力部とを有する例えばタッチパネルである。入出力部２５８は、キーボタン（入力部）とディスプレイ（出力部）とに分かれていてもよい。
【００４６】
電源部２５９は、親端末２５０の各部へ電力を供給する。電源部２５９は、室外機器２１０へ電力を供給する。電源部２５９から室外機器２１０へ安定して電力を供給するため、電源部２５９は商用電源を受けて有線により室外機器２１０へ電力を供給することが好ましい。なお、電源部２２０は、１次電池又は２次電池であってもよい。制御部２６０は、親端末２５０の各部を制御する部分である。
【００４７】
親端末２５０の各部のうち、応答部２５２、マイク２５３、スピーカ２５４及び入出力部２５８は親端末２５０の筐体に設けられる（図１参照）。
【００４８】
また、ユーザＵの使用する携帯端末３００を親端末２５０として利用する場合、携帯端末３００は、ネットワーク５００を介して室外機器２１０の電子錠制御部２１６に開錠信号又は施錠信号を送信させる制御を行う遠隔制御部３０１を有する。遠隔制御部３０１は、電子錠１００の状態検知部１０２で検知した開錠及び施錠の状態の情報を受信してもよい。また、遠隔制御部３０１は、ＮＦＣや近距離無線通信によって室外機器２１０との間で情報の送受信を行ってもよい。
【００４９】
（インターホンシステムの動作方法）
図５〜図１０は、本実施形態に係るインターホンシステムの動作方法を例示するフローチャートである。以下、図１〜図１０を参照して、本実施形態に係るインターホンシステムの動作方法について説明する。
【００５０】
（開錠・施錠動作）
図５は、室外機器による開錠及び施錠動作を例示するフローチャートである。
先ず、室外機器２１０は、識別情報の受け付けを行う（ステップＳ１０１）。識別情報は、予め親端末２５０などによって登録されている。識別情報の受け付けとしては、入出力部２１７の入力部（タッチパネル等）で暗証番号やサインを受け付けること、ＮＦＣ部２１９でカードＣや携帯端末３００の識別情報を受け付けること、通信部２１１で携帯端末３００の識別情報を受け付けること、が挙げられる。
【００５１】
次に、受け付けた識別情報が登録されたものか否かの判断を行う（ステップＳ１０２）。登録された識別情報である場合、電子錠制御部２１６は、開錠又は施錠を行う信号を送信する（ステップＳ１０３）。例えば、識別情報を受け付ける前の開錠及び施錠の状態が「施錠」であった場合、電子錠制御部２１６は開錠信号を送信する。一方、識別情報を受け付ける前の開錠及び施錠の状態が「開錠」であった場合、電子錠制御部２１６は施錠信号を送信する。
【００５２】
電子錠制御部２１６から送信された開錠又は施錠の信号は、通信部２１１を介して無線通信によって電子錠１００に送られる。電子錠１００の通信部１０３はこの信号を受信することで、駆動部１０１を動作させて扉Ｄの開錠又は施錠を電気的に行う。開錠又は施錠を行った後、状態検知部１０２で開錠又は施錠の状態を検知し、通信部２１１を介してその情報が無線通信によって室外機器２１０へ送られる。
【００５３】
室外機器２１０は電子錠１００から送られた開錠又は施錠の状態の情報を通信部２１１で受信し、入出力部２１７の出力部に受信した開錠又は施錠に基づく情報を出力する（ステップＳ１０４）。
【００５４】
このような処理によって、室外機器２１０から電子錠１００の開錠又は施錠をコントロールすることができる。例えば、ユーザＵは、室外機器２１０のタッチパネルで暗証番号を入力することで、扉Ｄの開錠又は施錠を行うことができる。また、ユーザＵは、室外機器２１０のＮＦＣ部２１９にカードＣをかざしたり、室外機器２１０に携帯端末３００を近づけたりすることで、扉Ｄの開錠又は施錠を行うことができるようになる。室外機器２１０から電子錠１００の開錠又は施錠をコントロールする構成によって、電子錠１００に認証機能や操作系（室外機器２１０の入出力部２１７に対応する機能）を持たせる必要がなく、装置構成の簡素化及び軽量化を図ることができる。また、電子錠１００の電池寿命を延ばすこともできる。
【００５５】
（電力モードの切り替え動作）
図６は、電力モードの切り替え動作を例示するフローチャートである。
先ず、電子錠１００の電力制御部１０５は、開錠又は施錠の信号を受け付けたか否かを判断する（ステップＳ２０１）。ここで開錠又は施錠の信号を受け付けた場合、電力制御部１０５は、電子錠１００の電力モードを「通常電力モード」に移行し（ステップＳ２０２）、開錠又は施錠の処理を行う（ステップＳ２０３）。
【００５６】
一方、開錠又は施錠の信号を受け付けていない場合、電力制御部１０５は一定時間が経過したか否かを判断する（ステップＳ２０４）。開錠又は施錠の信号を受信せず一定時間を経過した場合、電力制御部１０５は、電子錠１００の電力モードを「省電力モード」に移行する処理を行う（ステップＳ２０５）。そして、全体の処理を終了するか否かの判断を行い（ステップＳ２０６）、続ける場合はステップＳ２０１へ戻り、以降の処理を繰り返す。
【００５７】
このような処理によって、一定時間、開錠又は施錠の信号を受信しなかった場合には電子錠１００が省電力モードに移行するため、電子錠１００の無駄な電力消費が抑制され、電池寿命を延ばすことが可能となる。
【００５８】
（情報受け付け動作）
図７は、情報受け付け動作を例示するフローチャートである。
情報の受け付け動作は、室外機器２１０および親端末２５０のどちらで行ってもよい。説明の便宜上、ここでは室外機器２１０で行う場合を例とする。
先ず、室外機器２１０は、識別情報の受け付けを行う（ステップＳ３０１）。識別情報は、予め親端末２５０などによって登録されている。識別情報の受け付けとしては、入出力部２１７の入力部（タッチパネル等）で暗証番号やサインを受け付けること、ＮＦＣ部２１９でカードＣや携帯端末３００の識別情報を受け付けること、通信部２１１で携帯端末３００の識別情報を受け付けること、が挙げられる。
【００５９】
次に、受け付けた識別情報が登録されたものか否かの判断を行う（ステップＳ３０２）。登録された識別情報である場合、情報入力の受け付けを行う（ステップＳ３０３）。情報入力の受け付けは、入出力部２１７の入力部（タッチパネル等）で行う。例えば、ユーザＵによる伝言をタッチパネルで受け付ける。具体的には、親や子供などの伝言をタッチパネルで受け付ける。また、例えば、予め識別情報が登録された業者（配達業者、室内クリーニング業者、リネン交換業者など）が不在連絡を伝言として残したい場合、その伝言をタッチパネルで受け付ける。
【００６０】
（情報表示動作）
図８は、情報表示動作を例示するフローチャートである。
情報の表示動作は、室外機器２１０および親端末２５０のどちらで行ってもよい。説明の便宜上、ここでは室外機器２１０で行う場合を例とする。
先ず、室外機器２１０は、識別情報の受け付けを行う（ステップＳ４０１）。識別情報は、予め親端末２５０などによって登録されている。識別情報の受け付けとしては、入出力部２１７の入力部（タッチパネル等）で暗証番号やサインを受け付けること、ＮＦＣ部２１９でカードＣや携帯端末３００の識別情報を受け付けること、通信部２１１で携帯端末３００の識別情報を受け付けること、が挙げられる。
【００６１】
次に、受け付けた識別情報が登録されたものか否かの判断を行う（ステップＳ４０２）。登録された識別情報である場合、予め登録された情報の出力を行う（ステップＳ４０３）。情報の出力は、入出力部２１７の出力部（タッチパネルのディスプレイ等）で行う。例えば、ユーザＵが入出力部２１７の入力部（タッチパネル等）で暗証番号やサインを入力し、認証された場合、予め登録された伝言をタッチパネルのディスプレイに表示する。これにより、例えば親が外出時に登録した伝言を、子供が帰宅した際にディスプレイで参照できるといった利用が可能となる。また、上記業者等が不在連絡を残している場合、ユーザＵが帰宅した際にその伝言を参照することができる。
【００６２】
（情報の表示及び受け付け動作）
図９は、情報の表示及び受け付け動作を例示するフローチャートである。
情報の表示及び受け付け動作は、室外機器２１０によって行われる。先ず、室外機器２１０は、識別情報の受け付けを行う（ステップＳ５０１）。識別情報は、予め親端末２５０などによって登録されている。識別情報の受け付けとしては、入出力部２１７の入力部（タッチパネル等）で暗証番号やサインを受け付けること、ＮＦＣ部２１９でカードＣや携帯端末３００の識別情報を受け付けること、通信部２１１で携帯端末３００の識別情報を受け付けること、が挙げられる。
【００６３】
次に、受け付けた識別情報が登録されたものか否かの判断を行う（ステップＳ５０２）。登録された識別情報である場合、その識別情報に対応した情報の出力を行う（ステップＳ５０３）。例えば、家主が不在である場合、登録された家族や訪問者に不在であることを示す情報を入出力部２１７の出力部（タッチパネルのディスプレイ等）に表示する。
【００６４】
次に、情報の登録を受け付けるか否かの判断を行う（ステップＳ５０４）。登録を受け付ける場合、情報入力の受け付けを行う（ステップＳ５０５）。情報入力の受け付けは、入出力部２１７の入力部（タッチパネル等）で行う。例えば、家主の不在を知った訪問者による伝言をタッチパネルで受け付ける。また、例えば、予め識別情報が登録された配達業者が不在連絡を伝言として残したい場合、その伝言をタッチパネルで受け付ける。
【００６５】
伝言を受け付けた場合、予め登録された宛先へその伝言を自動的に送信するようにしてもよい。また、図８に示す情報の表示動作に従い、室外機器２１０の入出力部２１７の出力部や、親端末２５０の入出力部２５８の出力部にその伝言を出力するようにしてもよい。
【００６６】
（情報送信動作）
図１０は、情報送信動作を例示するフローチャートである。
情報の送信動作は、室外機器２１０によって行われる。先ず、室外機器２１０は、識別情報の受け付けを行う（ステップＳ６０１）。識別情報は、予め親端末２５０などによって登録されている。識別情報の受け付けとしては、入出力部２１７の入力部（タッチパネル等）で暗証番号やサインを受け付けること、ＮＦＣ部２１９でカードＣや携帯端末３００の識別情報を受け付けること、通信部２１１で携帯端末３００の識別情報を受け付けること、が挙げられる。
【００６７】
次に、受け付けた識別情報が登録されたものか否かの判断を行う（ステップＳ６０２）。登録された識別情報である場合、予め登録された宛先へ情報の送信を行う（ステップＳ６０３）。ここで、送信する情報としては、認証した識別情報に基づく登録ユーザ名や、認証した時間、開錠又は施錠の情報などである。予め登録された宛先としては、親端末２５０、携帯端末３００、パーソナルコンピュータ、管理会社や警備会社など外部システムなどである。情報の送信は、通信部２１１によって行われる。
【００６８】
例えば、子供が帰宅した際に識別情報を受け付けた際、に子供の帰宅を通知する情報をユーザ通知部２２７が通信部２１１へ送り、その情報を通信部２１１から親端末２５０や携帯端末３００など予め登録された宛先へ送信する。送信手段は電子メールであってもよい。また、予め識別情報が登録された配達業者が室外機器２１０を操作して認証された場合、その配達業者の情報や到着時間などが親端末２５０やユーザＵの携帯端末３００へ送信される。これにより、子供の帰宅や配達業者などの登録された者が室外機器２１０を操作したことを通知することが可能となる。
【００６９】
（画像通知動作）
図１１は、画像通知動作を例示するフローチャートである。
画像通知動作は、室外機器２１０によって行われる。先ず、動態検知部２２５で動態を検知したか否かの判断を行う（ステップＳ７０１）。動態を検知した場合、画像取得部２１８により室外の画像を取得する（ステップＳ７０２）。
【００７０】
次に、取得した画像の送信を行う（ステップＳ７０３）。画像取得部２１８で取得した画像は、画像送信部２２６によって通信部２１１へ送られ、通信部２１１から予め登録された宛先へ送信される。予め登録された宛先としては、親端末２５０、携帯端末３００、パーソナルコンピュータ、管理会社や警備会社など外部システムなどである。
【００７１】
例えば、室外機器２１０の周辺を不審な人物がうろついている場合、動態検知部２２５によって動態を検知する。そして、動態を検知した際の画像を画像取得部２１８で取得し、予め登録された宛先へ画像を送信する。これにより、親端末２５０の入出力部２５８のディスプレイに取得した画像が表示され、不審者を画像で確認することができる。また、外出先であっても携帯端末３００に画像が送信され、不審者を確認することができる。
【００７２】
なお、図５〜図１０で示すフローチャートに沿った動作は、コンピュータによるプログラム処理（インターホンシステムの動作プログラム）によって実現してもよい。また、親端末２５０で実行される処理は、携帯端末３００のアプリケーションソフトウェアで実現してもよい。インターホンシステムの動作プログラムやアプリケーションソフトウェアはコンピュータ読み取り可能な媒体に記録されていてもよいし、ネットワークを介して配信可能に設けられていてもよい。
【００７３】
以上説明したように、本実施形態によれば、電子錠１００とインターホン装置２００との連携によって利便性向上を図ることが可能となる。
【００７４】
なお、上記に本実施形態およびその適用例を説明したが、本発明はこれらの例に限定されるものではない。例えば、前述の各実施形態またはその適用例に対して、当業者が適宜、構成要素の追加、削除、設計変更を行ったものや、各実施形態の特徴を適宜組み合わせたものも、本発明の要旨を備えている限り、本発明の範囲に包含される。
【産業上の利用可能性】
【００７５】
以上のように、本発明は、電子錠１００とインターホン装置２００を用いた住宅（戸建て、集合住宅）、ビル、オフィス等の居室や会議室、宿泊施設（ホテル、民泊など）、内覧（内見）、その他の施設、住宅、ビル、オフィス、宿泊施設等の入退室チェック、入退館チェックなどで好適に利用できる。
【符号の説明】
【００７６】
１００…電子錠
１０１…駆動部
１０２…状態検知部
１０３…通信部
１０４…バッテリ
１０５…電力制御部
１０６…制御部
２００…インターホン装置
２１０…室外機器
２１１…通信部
２１２…呼出部
２１３…マイク
２１４…スピーカ
２１５…接続部
２１６…電子錠制御部
２１７…入出力部
２１８…画像取得部
２１９…ＮＦＣ部
２２０…電源部
２２１…制御部
２２５…動態検知部
２２６…画像送信部
２２７…ユーザ通知部
２２８…伝言受付部
２５０…親端末
２５１…通信部
２５２…応答部
２５３…マイク
２５４…スピーカ
２５５…接続部
２５６…ネットワークＩＦ
２５７…電子錠制御部
２５８…入出力部
２５９…電源部
２６０…制御部
３００…携帯端末
３０１…遠隔制御部
５００…ネットワーク
Ｃ…カード
Ｄ…扉
Ｕ…ユーザ
【図１】
2020136705.tif 000003
【図２】
2020136705.tif 000004
【図３】
2020136705.tif 000005
【図４】
2020136705.tif 000006
【図５】
2020136705.tif 000007
【図６】
2020136705.tif 000008
【図７】
2020136705.tif 000009
【図８】
2020136705.tif 000010
【図９】
2020136705.tif 000011
【図１０】
2020136705.tif 000012
【図１１】
2020136705.tif 000013